(57)【要約】【課題】電気的な整合性を考慮する必要をなくすと共に、信号入出力装置の設計上の制約を緩和する。【解決手段】被制御対象機器から出力される状態データを含む電気信号の入力を受け付けて含まれる状態データにＩＤ情報を付加し、この電気信号を光信号に変換して出力し、かつ、入力された制御指令を含む光信号を電気信号に変換して被制御対象機器６ａに出力するリレー１ａと、リレー１ａにより出力された光信号を電気信号に変換して出力し、かつ、入力された制御指令を含む電気信号を光信号に変換して出力し、リレー１ａに入力する光電変換部２と、光電変換部２により出力された電気信号に含まれる状態データに対応した制御指令を含む電気信号を出力し、光電変換部２に入力する制御部３とを備えて構成する。【選択図】　　図１
2004054611.tif 000002
【特許請求の範囲】
【請求項１】
複数の被制御対象機器から状態データを含む電気信号が個別に入力されると共に、この状態データに対応する指令データを含む電気信号を前記各被制御対象機器に個別に出力する信号入出力装置であって、
前記入力された電気信号内の状態データに識別情報を付加し、この識別情報及び状態データを含む電気信号を光信号に変換して送出し、かつこの送出信号に応じて返送された指令データを含む光信号を電気信号に変換して対応する前記各被制御対象機器に出力する複数の下位の光電変換手段と、
前記各下位の光電変換手段により送出された光信号を電気信号に変換して送出し、かつこの送出信号に応じて返送された指令データを含む電気信号を光信号に変換して対応する前記各下位の光電変換手段に返送する上位の光電変換手段と、前記上位の光電変換手段により送出された電気信号に基づいて、この電気信号内の状態データに対応した指令データを含む電気信号を前記上位の光電変換手段に返送する制御手段と
を備えたことを特徴とする信号入出力装置。
【請求項２】
請求項１に記載の信号入出力装置において、
前記上位の光電変換手段は、
前記各被制御対象機器の識別情報毎に、指令データおよび状態データが対応して記憶された上位の識別情報記憶テーブルと、
前記下位の光電変換手段により送出された光信号が電気信号に変換された場合に、この電気信号に含まれる状態データを、前記識別情報に基づいて前記上位の識別情報記憶テーブルに更新記憶させる上位テーブル更新手段と、
前記上位の識別情報記憶テーブルに記憶された指令データが変更された場合に、前記識別情報および指令データを送出する指令データ送出手段とを備え、
前記制御手段は、
前記各被制御対象機器の識別情報毎に、前記各被制御対象機器の器具番号、状態データ、および指令データが対応して記憶された下位の識別情報記憶テーブルと、
前記上位の識別情報記憶テーブルに記憶された指令データが変更された場合に、前記指令データ送出手段により送出された指令データを含む電気信号の入力を受け付けて前記指令データを、前記下位の識別情報記憶テーブルに更新記憶させる下位テーブル更新手段とを備え、
前記上位の識別情報記憶テーブルに記憶された指令データを変更するための指令データ変更手段と、
前記上位の光電変換手段から返送された指令データに基づいて、前記上位の識別情報記憶テーブルに記憶された状態データに対応する前記被制御対象機器の状態を表示する状態表示手段と
をさらに設けたことを特徴とする信号入出力装置。
【発明の詳細な説明】
【０００１】
【発明の属する技術分野】
本発明は、各種プラントの被制御対象機器を制御する制御機能を有する信号入出力装置の改良に関する。
【０００２】
【従来の技術】
一般に、信号入出力装置は、電気系統などの各種プラントの制御に用いられている。従来から用いられている信号入出力装置は、制御部と、信号入出力機器と、リレーと、スイッチと、ランプとから構成されている。この信号入出力装置では、制御部と信号入出力機器との間および信号入出力機器とリレー、スイッチ、およびランプとの間は、それぞれハードワイヤで結線されており、当該結線のなされた制御部と信号入出力機器との間および信号入出力機器とリレー、スイッチ、およびランプとの間には、それぞれ電気回路が形成されている。
【０００３】
この種の信号入出力装置の制御部と信号入出力機器との間、および信号入出力機器とリレー、スイッチ、およびランプとの間における信号伝達は、全て電気信号を用いて行われている。
【０００４】
【発明が解決しようとする課題】
しかしながら、この信号入出力装置では、リレー、スイッチ、およびランプから信号入出力機器への信号伝達の際、電気信号を使用しているので、直流／交流の別、電圧別の電気的特性等の電気的な整合性を考慮した上で、リレー、ランプ、およびスイッチ等の各種機器を選定しなければならない。また、入出力信号の数に応じて信号入出力機器の容積が異なるので、入出力信号の数を変更する度に、当該入出力信号の数に応じた容量の信号入出力機器を取り揃えたり、当該容量の信号入出力機器を格納する筐体に変更したりしなければならない。これが信号入出力装置の設計上の大きな制約となっている。
【０００５】
そこで本発明は、上記事情を考慮してなされたもので、電気的な整合性を考慮する必要がなくすと共に、信号入出力装置の設計上の制約を緩和する信号入出力装置を提供することを目的とする。
【０００６】
【課題を解決するための手段】
本発明の主旨は、光電変換する構成により、電気的な整合性を考慮する必要をなくすと共に、信号入出力装置の設計上の制約を緩和するという効果を達成することにある。
【０００７】
ここで、光電変換する構成としては、例えば、フォトダイオード、またはＣｄＳ（硫化カドミニウム）を用いる手法等がある。
【０００８】
さて、以上のような本発明の主旨は、具体的には以下のような手段を講じることにより実現される。
【０００９】
第１の発明は、複数の被制御対象機器から状態データを含む電気信号が個別に入力されると共に、この状態データに対応する指令データを含む電気信号を各被制御対象機器に個別に出力する信号入出力装置であって、入力された電気信号内の状態データに識別情報を付加し、この識別情報及び状態データを含む電気信号を光信号に変換して送出し、かつこの送出信号に応じて返送された指令データを含む光信号を電気信号に変換して対応する各被制御対象機器に出力する複数の下位の光電変換手段と、各下位の光電変換手段により送出された光信号を電気信号に変換して送出し、かつこの送出信号に応じて返送された指令データを含む電気信号を光信号に変換して対応する各下位の光電変換手段に返送する上位の光電変換手段と、上位の光電変換手段により送出された電気信号に基づいて、この電気信号内の状態データに対応した指令データを含む電気信号を上位の光電変換手段に返送する制御手段とを備えた信号入出力装置である。
【００１０】
これにより、下位の各光電変換手段と上位の光電変換手段との間で光信号を用いて状態データ／制御指令の伝達が行われるので、電気的な整合性を考慮する必要をなくすと共に、信号入出力装置の設計上の制約を緩和することができる。
【００１１】
第２の発明は、第１の発明の信号入出力装置において、上位の光電変換手段は、各被制御対象機器の識別情報毎に、指令データおよび状態データが対応して記憶された上位の識別情報記憶テーブルと、下位の光電変換手段により送出された光信号が電気信号に変換された場合に、この電気信号に含まれる状態データを、識別情報に基づいて上位の識別情報記憶テーブルに更新記憶させる上位テーブル更新手段と、上位の識別情報記憶テーブルに記憶された指令データが変更された場合に、識別情報および指令データを送出する指令データ送出手段とを備え、制御手段は、各被制御対象機器の識別情報毎に、各被制御対象機器の器具番号、状態データ、および指令データが対応して記憶された下位の識別情報記憶テーブルと、上位の識別情報記憶テーブルに記憶された指令データが変更された場合に、指令データ送出手段により送出された指令データを含む電気信号の入力を受け付けて指令データを、下位の識別情報記憶テーブルに更新記憶させる下位テーブル更新手段とを備え、上位の識別情報記憶テーブルに記憶された指令データを変更するための指令データ変更手段と、上位の光電変換手段から返送された指令データに基づいて、上位の識別情報記憶テーブルに記憶された状態データに対応する被制御対象機器の状態を表示する状態表示手段とをさらに設けた信号入出力装置である。
【００１２】
これにより、第１の発明の作用と同様の作用を奏することができるのに加え、器具番号を用いるので、ＰＬＣ（Ｐｒｏｇｒａｍｍａｂｌｅ　Ｌｏｇｉｃ　Ｃｏｎｔｒｏｌｌｅｒ）ソフトウェアの作成を容易にすることが出来る。
【００１３】
【発明の実施の形態】
以下、本発明の一実施の形態について図面を用いて説明する。
【００１４】
図１は、本発明の一実施の形態に係る信号入出力装置の構成例を示す模式図である。
【００１５】
図１に示すように、本実施の形態に係る信号入出力装置は、２つのリレー１ａ、１ｂ（下位の光電変換手段）と、光電変換部２（上位の光電変換手段）と、制御部３と、スイッチ４ａ、４ｂ（指令データ変更手段）と、ランプ５ａ、５ｂとから構成されている。なお、図１では、説明の都合上、リレー、スイッチ、ランプの個数は、２としたが、これに限られず、一般的には、もっと多数が接続される場合が多い。
【００１６】
リレー１ａ、１ｂは、被制御対象機器６ａ、６ｂとは個別に、電気的に接続され、かつ、光電変換部２とは光学的に接続されている。
【００１７】
光電変換部２は、リレー１ａ、１ｂとは光学的に（例えば、光ファイバ等で）接続され、かつ、制御部３とは電気的に接続されている。
【００１８】
制御部３は、光電変換部２と電気的に接続されている。
【００１９】
スイッチ４ａ、４ｂは、前述の光電変換部２と光学的に（例えば、光ファイバ等で）接続されている。
【００２０】
ランプ５ａ、５ｂは、前述の光電変換部２と光学的に（例えば、光ファイバ等で）接続されている。
【００２１】
なお、本実施の形態に係る信号入出力装置は、被制御対象機器６ａ、６ｂとリレー１ａを介して接続されており、この信号入出力装置は、被制御対象機器６ａ、６ｂから出力された状態データを含む電気信号７ａ１、７ａ３がこれらのリレー１ａ、１ｂを介してこの信号入出力装置に入力される一方、この状態データに基づいて、制御指令を含む電気信号７ａ２、７ａ４を被制御対象機器６ａ、６ｂに出力する装置である。
【００２２】
リレー１ａは、制御対象６ａから出力された状態データを含む電気信号７ａ１の入力を受け付ける機能と、入力を受け付けた状態データに被制御対象機器６ａに予め割り当てられたＩＤ情報（識別情報）を付加する機能と、ＩＤ情報を付加した状態データを含む電気信号を、光信号に変換する機能と、変換した光信号８ａ１を光電変換部２に送出する機能と、光電変換部２から出力された制御指令を含む光信号８ａ２を受光する機能と、受光した光信号を電気信号に変換する機能と、変換した電気信号７ａ２を被制御対象機器６ａに出力する機能を有する。
【００２３】
光電変換部２には、ＩＤ情報９ａ、状態データ９ｂ、および指令データ９ｃに対応したＩＤ情報テーブル（上位の識別情報記憶テーブル）が記憶されている。
【００２４】
図２は、本実施の形態に係る光電変換部２の有するＩＤ情報テーブル９を概念的に示す模式図である。
【００２５】
図２において、ＩＤ情報９ａとは、被制御対象機器毎に予め割り当てられた番号であり、状態データまたは指令データがどのリレー１ａまたはスイッチ４ａに対応するものかを明示する情報である。
【００２６】
状態データ９ｂとは、前述したように、被制御対象機器の状態に基づいて、リレー１ａまたはスイッチ４ａから出力された今の状態を明示するデータである。例えば、バルブを監視するリレーに用いる場合は、バルブが空いている／閉まっているという状態を示す。
【００２７】
指令データ９ｃとは、制御部３から各リレー１ａに対して出力された指令に関するデータであり、被制御対象機器に対して、被制御対象機器をどの状態にするかを指示するための制御指令と、ランプ５ａにＯＮ／ＯＦＦの状態を指示するための状態表示指令とがある。
【００２８】
光電変換部２は、リレー１ａまたはスイッチ４ａから出力された光信号８ａ１、８ａ３を受光する機能と、リレー１ａまたはスイッチ４ａから出力された光信号を電気信号に変換する機能と、この電気信号に含まれるリレー１ａの接点の開閉状態に基づいた被制御対象機器６ａに関する状態データをこの電気信号に含まれるＩＤ情報を指定してＩＤ情報テーブル９に書き込む機能と（上位テーブル更新手段）、作業員の操作によりスイッチ４ａから出力された光信号８ａ３に基づいて、指定されたＩＤ情報に対応するＩＤ情報テーブル９に記憶された指令データを書き換える機能と、変換した電気信号１０ａ１を制御部３に送出する機能と（指令データ送出手段）、制御部３から出力された制御指令または状態表示指令を含む電気信号１０ａ２を光信号に変換する機能と、変換した光信号８ａ２、８ａ４をリレー１ａまたはランプ５ａに返送する機能とを有する。
【００２９】
図３は、本実施の形態に係る制御部３が有するＩＤ情報対応テーブルを概念的に示す模式図である。
【００３０】
制御部３には、器具番号１１ａ、ＩＤ情報１１ｂ、状態データ１１ｃ、および指令データ１１ｄに対応したＩＤ情報対応テーブル１１（下位の識別情報記憶テーブル）が記憶されている。
【００３１】
また、制御部３は、光電変換部２から送出された電気信号１０ａ１の入力を受け付ける機能と、入力を受け付けた電気信号に含まれる状態データ１１ｃ、ＩＤ情報１１ｂ、および指令データ１１ｄをＩＤ情報対応テーブル１１に書き込む機能と（下位テーブル更新手段）、ＩＤ情報をキーとして、ＩＤ情報対応テーブル１１を検索し、この検索結果としてＩＤ情報に対応する指令データを読み出す機能と、読み出したＩＤ情報に対応する指令データを含む電気信号１０ａ２を光電変換部２に返送する機能とを有する。
【００３２】
ここで、器具番号１１ａとは、被制御対象機器をオペレータに明示するために、ＩＤ情報と１対１に対応するように設けられた番号である。なお、器具番号は、ＩＤ情報と１対１に対応していれば、どの様な番号体系でもよいが、ＪＩＳに規定されている番号を用いることも可能である。
【００３３】
なお、ＩＤ情報１１ｂ、状態データ１１ｃ、および指令データ１１ｄに関しては、前述したＩＤ情報テーブル９に記憶されているＩＤ情報９ａ、状態データ９ｂ、指令データ９ｃと同様であるので、ここでは詳細な説明を省略する。
【００３４】
スイッチ４ａは、作業員の操作により光電変換部２に設けられたＩＤ情報テーブル９（上位の識別情報記憶テーブル）に記憶されている制御指令を外部から書き換えるものであり、このスイッチ４ａのオン／オフの状態に基づいて出力される制御指令を含む光信号８ａ３を光電変換部２に出力する機能を有する。
【００３５】
なお、ここでは、スイッチ４ａに関してだけ説明したが、スイッチ４ｂに関しても同様の機能を有していることは言うまでもない。
【００３６】
ランプ５ａは、光電変換部２から出力された状態表示指令を含む光信号の入力を受け付ける機能と、入力を受け付けた光信号に含まれる状態表示指令に基づいて、光電変換部２の有するＩＤ情報テーブル９に記憶された状態データと対応する被制御対象機器の状態を示すように点灯／消灯する機能とを有する。
【００３７】
なお、ここでは、ランプ５ａに関してだけ説明したが、ランプ５ｂに関しても同様の機能を有していることは言うまでもない。
【００３８】
なお、前記において、「状態データ」とは、被制御対象機器の状態に基づいて、リレー１ａまたはスイッチ４ａから出力された今の状態を明示するデータであり、例えば、被制御対象機器がバルブまたは三方弁等である場合、「バルブまたは三方弁の開／閉状態に関するデータ」のことであり、被制御対象機器が各種プラント設備である場合、「当該プラント設備のオン／オフの状態に関するデータ」のことである。
【００３９】
また、本実施の形態に係る信号入出力装置に設けられているリレー１ａ、とリレー１ｂ、スイッチ４ａとスイッチ４ｂ、およびランプ５ａとランプ５ｂは、リレー１ａに接続された被制御対象機器に、個別に対応させて設けられたものであり、各被制御対象機器に、個別に対応するリレー１ａ、１ｂ、スイッチ４ａ、４ｂ、およびランプ５ａ、５ｂ同士は、それぞれ同一の形状である。
【００４０】
一方、前記においては、説明の簡略化を図る観点から、本実施の形態に係る信号入出力装置に設けられたリレー１ａ、１ｂのうち、リレー１ａに接続された被制御対象機器から出力された状態データを含む電気信号に関して説明したが、リレー１ｂに接続された被制御対象機器から出力された状態データを含む電気信号に関しても同様であることは言うまでもない。
【００４１】
また、本実施の形態に係る信号入出力装置では、リレーが２個、スイッチが２個、およびランプが２個それぞれ設けられていたが、これに限らず、信号入出力装置に設けられるリレーは１〜１５個または２〜７個、スイッチは１〜１５個または２〜７個、およびランプは１〜１５個または２〜７個の任意の個数に変更可能である。
【００４２】
次に、以上のように構成された本発明の一実施の形態に係る信号入出力装置の動作に関して説明する。
【００４３】
図４および図５は、本実施の形態に係る信号入出力装置の動作を説明するためのフローチャートである。なお、以下の説明では、簡略化を図る観点から、被制御対象機器６ａから出力される電気信号７ａ１に関してのみ説明するが、被制御対象機器６ｂから出力される電気信号７ａ３に関しても同様であることは言うまでもない。なお、その場合、適宜ａをｂと読み替えることが可能である。
【００４４】
始めに、被制御対象機器６ａから出力された状態データを含む電気信号７ａ１は、本実施の形態に係る信号入出力装置に、リレー１ａを介して入力される（ＳＴ１）。
【００４５】
次の工程では、リレー１ａは、入力された電気信号７ａ１に含まれる被制御対象機器６ａに関する状態データに、ＩＤ情報を付加し、ＩＤ情報を付加した状態データを含む電気信号を光信号８ａ１に変換して、光電変換部２に送出する（ＳＴ２）。
【００４６】
次の工程では、光電変換部２は、リレー１ａから送出された光信号８ａ１の入力を受け付け、入力を受け付けた光信号８ａ１を電気信号に変換し、変換した電気信号に含まれるＩＤ情報と、状態データとをＩＤ情報テーブル９に書き込む（ＳＴ３：上位テーブル更新手段）。
【００４７】
次の工程では、光電変換部２は、ＩＤ情報を検索キーとしてＩＤ情報テーブル９を検索する（ＳＴ４）。
【００４８】
次の工程では、光電変換部２は、検索の結果に基づいて、作業員の操作によりスイッチ４ａから制御指令が書き込まれていないか否かを判定する（ＳＴ５）。光電変換部２は、この工程ＳＴ５で制御指令が書き込まれていないと判定した場合（ＳＴ５：Ｙｅｓ）には、状態データとＩＤ情報とを含む電気信号１０ａ１を制御部３に送出し（ＳＴ６）、後述の工程ＳＴ８に移行する。一方、光電変換部２は、工程ＳＴ５で制御指令が書き込まれていると判定した場合（ＳＴ５：Ｎｏ）には、この制御指令とＩＤ情報とを含む電気信号１０ａ１を制御部３に送出する（ＳＴ７：指令データ送出手段）。
【００４９】
工程ＳＴ８では、制御部３は、光電変換部２から出力された電気信号１０ａ１に含まれるＩＤ情報と、状態データまたは制御指令とをＩＤ情報対応テーブル１１に書き込む（下位テーブル更新手段）。
【００５０】
次の工程では、制御部３は、ＩＤ情報対応テーブル１１をＩＤ情報をキーとして検索する（ＳＴ９）。
【００５１】
次の工程では、制御部３は、検索結果として得られた指令データとＩＤ情報とを含む電気信号１０ａ２を、光電変換部２に返送する（ＳＴ１０）。
【００５２】
次の工程では、光電変換部２は、制御部３から送出された電気信号１０ａ２に含まれるＩＤ情報と指令データとの入力を受け付け、このＩＤ情報と指令データとをＩＤ情報テーブル９に書き込む（ＳＴ１１）。
【００５３】
次の工程では、光電変換部２は、ＩＤ情報テーブル９をＩＤ情報を検索キーとして検索し、検索の結果としてこのＩＤ情報に対応する指令データと状態データとを読み出し、指令データが制御指令であるか否かを判定する（ＳＴ１２）。光電変換部２は、この工程ＳＴ１２で指令データが制御指令であると判定した場合（ＳＴ１２：Ｙｅｓ）、この制御指令とＩＤ情報とを含む電気信号を光信号８ａ２に変換して、変換した光信号８ａ２をＩＤ情報に対応するリレー１ａに返送する（ＳＴ１３）。
【００５４】
次の工程では、リレー１ａは、光電変換部２から返送された光信号８ａ２を受光し、受光した光信号８ａ２を電気信号７ａ２に変換して、変換した電気信号７ａ２を被制御対象機器６ａに出力し（ＳＴ１４）、そのまま動作を終了する。
【００５５】
一方、光電変換部２は、前述の工程ＳＴ１２で指令データが状態表示指令であると判定した場合（ＳＴ１２：Ｎｏ）、ＩＤ情報に対応するランプ５ａに、状態データに対応する被制御対象機器の状態を表示させるための電気信号８ａ４を出力する（ＳＴ１５）。
【００５６】
次の工程では、ランプ５ａは、光電変換部２から出力された電気信号８ａ４に基づいて、被制御対象機器６ａの状態に応じて点灯／消灯し（ＳＴ１６）、そのまま動作を終了する。
【００５７】
以上のような一連の処理をもって、信号入出力装置は、動作を終了する。
【００５８】
上述したように本実施の形態によれば、リレー１ａ、スイッチ４ａ、およびランプ５ａと光電変換部２との間で電気信号ではなく、光信号を用いて状態データ／制御指令の伝達を行うため、入出力信号数に応じて信号入出力機器を取り替えたり、実装スペースを確保する筐体に変更する必要がなくなるので、電気的整合性を考慮する必要がなくすと共に、信号入出力装置の設計上の制約を緩和することが出来る。
【００５９】
本実施の形態によれば、光電変換部２と、リレー１ａ、スイッチ４ａ、およびランプ５ａとの間の信号伝達を光信号で行うので、電気的な絶縁を保つ必要のある場所でも使用することが出来ると共に、リレー１ａ、スイッチ４ａ、およびランプ５ａ毎に電源を用意する必要がなくなり、電源の数を１つにすることが出来る。
【００６０】
本実施の形態によれば、制御部３の有するメモリに記憶された器具番号・ＩＤ情報テーブル９に登録された器具番号を利用することができ、ＰＬＣソフトウェアの作成が容易に可能となる。
【００６１】
本実施の形態によれば、光電変換部２と、リレー１ａ、スイッチ４ａ、およびランプ５ａとの間で光信号を用いて信号伝達を行うので、全ての信号伝達を電気信号を用いて行う場合に比較して、発熱量を低く抑えることが出来る。
【００６２】
なお、本発明は、上記一実施の形態に限定されるものでなく、実施段階ではその要旨を逸脱しない範囲で種々に変形することが可能である。例えば、本実施の形態に係る信号入出力装置では、リレー１ａ、スイッチ４ａ、およびランプ５ａを構成要素としているが、これに限らず、ブザー、ベル、表示灯、遮断機、および継電器等を構成要素として含んでいてもよい。
【００６３】
さらに、上記一実施の形態には、種々の段階の発明が含まれており、開示されている複数の構成要件における適宜な組み合わせにより種々の発明が抽出され得る。例えば、実施の形態に示されている全構成要件から幾つかの構成要件が削除されても、発明が解決しようとする課題の欄で述べた課題が解決でき、発明の効果の欄で述べられている効果が得られる場合には、この構成要件が削除された構成が発明として抽出できる。その抽出された発明を実施する場合、省略部分が周知慣用技術で適宜補われるものである。
【００６４】
その他、本発明は、その要旨を逸脱しない範囲で種々変形して実施できる。
【００６５】
【発明の効果】
以上詳述したように本発明によれば、電気的な整合性を考慮する必要をなくすと共に、入出力信号数の変更に応じて、信号入出力機器を取り揃えたり、信号入出力機器の実装スペースを確保する筐体に変更したりするという信号入出力装置の設計上の制約を緩和する信号入出力装置を提供できる。
【図面の簡単な説明】
【図１】本発明の一実施の形態に係る信号入出力装置の構成例を示す模式図。
【図２】本実施の形態に係る信号入出力装置に用いられる光電変換部の有するＩＤ情報テーブルを概念的に示す模式図。
【図３】本実施の形態に係る信号入出力装置に用いられる制御部の有するＩＤ情報対応テーブルを概念的に示す模式図。
【図４】本発明の一実施の形態に係る信号入出力装置の動作を説明するためのフローチャート。
【図５】本発明の一実施の形態に係る信号入出力装置の動作を説明するためのフローチャート。
【符号の説明】
１ａ、１ｂ…リレー
２…光電変換部
３…制御部
４ａ、４ｂ…スイッチ
５ａ、５ｂ…ランプ
６ａ、６ｂ…被制御対象機器
７ａ１〜７ａ２、７ｂ１〜７ｂ２…電気信号
８ａ１〜８ａ４、８ｂ１〜８ｂ４…光信号
９…ＩＤ情報テーブル
９ａ…ＩＤ情報
９ｂ…状態データ
９ｃ…指令データ
１０ａ１…電気信号
１０ａ２…電気信号
１１…ＩＤ情報対応テーブル
１１ａ…器具番号
１１ｂ…ＩＤ情報
１１ｃ…状態データ
１１ｄ…指令データ
【図１】
2004054611.tif 000003
【図２】
2004054611.tif 000004
【図３】
2004054611.tif 000005
【図４】
2004054611.tif 000006
【図５】
2004054611.tif 000007